(57)【特許請求の範囲】
【請求項１】
搬器供給装置（イ）から搬器（Ｔ）が搬送装置（ハ）に送り出され、その送り出された搬送装置（ハ）上の搬器（Ｔ）に、処方箋による薬剤情報に基づいて薬剤払出機（ロ）から払い出された薬剤が収集され、その薬剤が収集された搬器（Ｔ）を終端まで前記搬送装置（ハ）によって搬送する薬剤収集装置において、
上記搬器（Ｔ）は記録層に書込み消去が繰返し可能なカード状の表示部材（１）を着脱自在に担持するものであり、
上記搬送装置（ハ）の搬送経路の所定位置で上記搬器（Ｔ）の搬送を停止及びその停止を解放する搬器停止解放手段（３１）と、前記所定位置の前記搬器（Ｔ）に対し、上記カード状の表示部材（１）を搬器（Ｔ）のカード保持部材（２）から引き出し、再び戻して挿入し得るように前記カード状の表示部材（１）を着脱させて移送するカード着脱移送手段（１０）と、このカード着脱移送手段（１０）により移送された前記カード状の表示部材（１）の記録層に患者名等の書込み消去を繰り返し可能な書込み手段（２０）と、搬器停止解放手段（３１）、カード着脱移送手段（１０）及び書込み手段（２０）を制御する制御装置（３０）とを備えたことを特徴とする薬剤収集装置。
【請求項２】
上記搬送装置（ハ）の終端に搬器払出リフタカート（ニ）を配置し、この搬器排出リフタカート（ニ）に、上記処方箋による薬剤情報に基づいて新たな患者名情報を書込んだカード状の表示部材（１）が装着されるとともに薬剤が収集された、前記終端に至った搬器（Ｔ）を収集し得るようにしたことを特徴とする請求項１に記載の薬剤収集装置。
【請求項３】
上記制御装置（３０）に上記カード状の表示部材（１）の再発行用書込み手段（２０’）を接続して、上記処方箋による薬剤情報に基づいて新たな患者名情報を書込んだカード状の表示部材（１）を再発行し得るようにしたことを特徴とする請求項１又は２に記載の薬剤収集装置。
【発明の詳細な説明】
【技術分野】
【０００１】
この発明は、医薬品類用搬器に備えられた表示部材の表示内容を書込み消去自在に書き替えて表示する搬器表示部材の書込み装置を備え、搬送される搬器に薬剤を払出し、収集する薬剤収集装置に関する。
【背景技術】
【０００２】
病院や調剤薬局等の医療施設において、薬剤、医療材料等の医薬品類を処方箋の指示に従って各患者毎に調剤し、集める作業は、これを短時間に、効率よく、かつ正確に実施するため大規模な機械化が行われており、例えば注射アンプルを多数、多種類貯留して払い出す注射剤払出装置を複数組所定の順に設置し、それぞれの払出装置から異なる種類の注射アンプルを搬器に払い出して投入し、これら装置に沿って設置された搬送装置を介して搬器を移送して監査位置へ送り、厳格な監査を経て各患者に投薬するというシステムが実施されている。
【０００３】
搬器に薬剤を集めて移送するシステムの他の一例として、散薬、錠剤の分包装置に沿って搬送装置を設置し、調剤されたこれら薬剤を搬器に集めて監査位置へ送るようにした調剤搬送装置が特許文献１（医薬品類の搬送制御方法）により公知である。この公報の装置では、情報を記憶するＩＣカードを搬器に内蔵し、搬器に備えた液晶表示器に記憶した情報を表示し、又その情報を非接触に読み出して調剤の各種ユニットの表示装置に表示するようにしている。
【０００４】
上記注射剤払出装置や調剤搬送装置のシステムでは、搬器の内容についての処方箋情報を用紙に印字して投入したり、搬器の内容に対応する患者名や引換番号等の情報を名札紙や粘着ラベルに印字して搬器側面に手作業で貼付することが行われ、患者等へ正確に手渡されるような対策も施されている。医薬品類の収集、搬送をする以外の技術分野でこのような搬器又は容器にその内容物の表示又は対応関係を示す表示をする例としては次のようなものが公知である。
【０００５】
特許文献２の「被処理物の処理管理方法及び処理管理装置」では、ウエハのような半導体製品などの被処理物をＩＣカード等の記憶媒体を用いて、生産のための処理を行う処理装置を生産管理装置により管理する方法及び装置について開示している。この管理方法では、被処理物を収納する容器に着脱自在に取り付けられたＩＣカードに記憶されている被処理物のデータを、予め管理装置に記憶されている被処理物の処理に関するデータと照合して確認した後ＩＣカードを取外し、被処理物を処理用の容器に移し替えて所定の処理をした後、被処理物を保管されていた容器に移し替え、この容器に被処理物に対応付けて保管されていたＩＣカードを装着し、データを確認した後施した処理についてのデータをＩＣカードに書き込むようにしている。
【０００６】
特許文献３の「コンテナ及びコンテナに取付けたカードの取外し方法」は、粘着ラベルの代わりに粘着剤を必要としないカードを使用してコンテナに取付けたカードを自動的に取り外すようにして作業性の向上を図ったものである。搬送ラインで送られるコンテナを幅方向にガイドで位置を規制しておき、コンテナの側面に装着されたカードの隙間に取外し杆を挿入してカードを取り外すようにしている。
【０００７】
特許文献４の「物品搬送用カセット及びこのカセットの洗浄装置」は、物品搬送用カセットの側板に情報格納手段であるデータキャリアを収納するポケットを備え、データキャリアを把持してカセットから取り外す装置とカセットに取り付ける装置について開示している。データキャリアが取り付けられるカセットを洗浄する際にデータキャリアに悪影響を及ぼすことを回避するためデータキャリアを取り外してカセットを洗浄した後再び取り付けてデータキャリアに情報を書き込むようにしている。
【０００８】
ところで、医療施設においては医師による処方箋や指示に基づいて患者別の薬剤、医療材料等を搬器（一般にはトレイと呼ばれる）に収納して搬送する機会が多く、収納されている薬剤等が正しく患者に手渡される、あるいは正しく患者に対して使われるようにするためには搬器の内容に対応して少なくとも患者名や引換番号などの情報を搬器に表示する必要がある。このような要求に対し、前述した搬器にＩＣカードや表示器を備えたものは、搬器の取扱いにおいて手作業を介在させずに殆ど自動で処理する場合に適する方式のものであり、表示器には内容物の表示は行われるが、患者名等の表示はされない。又、上記以外の一般的な搬器は、単なる収納容器であり、患者名等の表示部は勿論設けられていない。
【０００９】
このため、上記いずれの形式の搬器でも患者名等の情報を表示するのに使用することができるようにするため、医療施設では名札紙や粘着ラベルにこれら情報を印字し、搬器を使い始める際に搬器の側面に手作業で取り付け、搬器を使い終わる際に手作業でこの表示ラベルを取り外す必要がある。しかし、表示ラベルを手作業で取り付けて外す作業は患者数が多くなれば大きな負担となり、取付け違い等の人為的なミスの発生が避けられない。又、粘着ラベルは途中で外れることもあり、取り外した後は糊が残ってその面が汚れる。さらに、粘着ラベルは使い捨てなので運用コストが高い。
【００１０】
このため、患者名情報をＩＣカードによる表示器のような高価な部材でなく安いコストの表示部材で表示できる機能を有し、かつ表示部材の付け、外しの手作業が不要で、運用コストの安い表示部材を着脱自在に備えた搬器が要望されている。
【００１１】
ところで、上記要望に適合する表示部材と、この表示部材に所望の表示内容を書き込むことができるプリンタとが既に一般に市販されている。表示部材は、文字などの表示内容を繰り返し書込み、消去できる性質を有し、プリンタは特定温度を加えることにより表示部材上の表示内容の書込み、消去ができる。このような表示部材とプリンタを用いて表示部材に所望の表示内容を表示し、この表示部材を上述した医療品類用の搬器に装着させれば、表示部材は繰り返し使用できるため、粘着ラベルより運用コストが安く、搬器の汚れもなくすことができる。しかし、表示部材の装着は依然人手による手作業に依ることとなり、取付け、取外しの作業の負担は残り、人為的ミスの発生の可能性もある。
【特許文献１】特開平７−８１７３７号公報
【特許文献２】特開平４−３５８４８号公報
【特許文献３】特開平８−９１３８２号公報
【特許文献４】特開平９−２４９６８号公報
【発明の開示】
【発明が解決しようとする課題】
【００１２】
この発明は、上記の種々の問題点に留意して、繰り返して書込み消去のできる安価な表示部材を利用してこれを搬器に装着し、表示部材に患者名情報を書込み消去自在に書込むことができる搬器表示部材の書込み装置を備え、搬送される搬器に薬剤を払出し、収集する薬剤収集装置を提供することを課題とする。
【課題を解決するための手段】
【００１３】
この発明は、上記の課題を解決する手段として、搬器供給装置から送り出され搬送装置により搬送されているカード状の表示部材が装着された搬器に薬剤を払い出し、収集する薬剤収集装置において、前記カード状の表示部材の記録層に患者名情報等の書込み消去を繰り返し可能な書込み手段と、上記書込み手段により患者名等の情報を書込み消去可能な表示部材が装着された搬器を終端まで搬送可能に制御する制御装置とを備えたことを特徴とする薬剤収集装置の構成としたのである。
【００１４】
上記構成の薬剤収集装置における書込み装置は、医薬品類を病院や薬局内で自動搬送又は手作業で運ぶのに用いられる搬器の側面にカード状の表示部材を付着させ、これに患者名情報を消去書込み自在に表示するための装置であり、患者名情報を表示することにより搬器内の医薬品類が正しく患者に手渡され、あるいは病院内で分配されるのに手助けとなることを期するものである。
【００１５】
消去書込み自在のカード状の表示部材にその表示内容を繰り返して消去書込みする書込み手段は、一般にカード状の表示部材をその挿入口から手作業で挿入して表示内容を書き直すように利用されるが、病院等内で利用される搬器では衛生管理や調剤作業の効率化を考慮するとカード状の表示部材は手作業でなく機械的に装着するのが望ましい。このカード状の表示部材は消去、書込みを複数回繰り返すことができる特性を有するため１回の使用だけで使い捨てされることがなく、数百回繰り返し使用できるため費用が安価であり、装着作業が効率的に行われることとなる。
【発明の効果】
【００１６】
以上、詳細に説明したように、この発明の薬剤収集装置は、カード状の表示部材の記録層に患者名情報を、書込み消去を繰り返し可能な書き込み手段と、カード状の表示部材に患者名情報を繰り返し消去、書込む制御を行う制御装置とを備えるようにしたから、搬器の表示部材に患者名情報を繰り返し書込み、消去でき、粘着剤による汚れが生じることもなく、衛生的で作業の効率化が図られ、人為的なミスの発生を防止でき、かつＩＣカードや表示器のように高価な部材を使用することなく安価な表示部材の利用が可能となるという利点が得られる。
【発明を実施するための最良の形態】
【００１７】
以下、この発明の実施の形態について図面を参照して説明する。図１は実施形態の搬器表示部材の書き込み装置を搬送装置に備えたアンプル収集装置の全体概略構成を示す。図示のアンプル収集装置は、中央のアンプル払い出し機（ロ）から払い出されるアンプルを、アンプル収集装置に沿って設置される搬送装置（ハ）の始端に設置される搬器供給装置（イ）から送り出される搬器Ｔに払い出して投入し、搬送装置（ハ）により終端まで搬送した後搬器を搬器排出リフタカート（ニ）内に送り込むように構成されている。このカート内では複数列の各列毎にリフタにより搬器Ｔが積み上げられ、所定の患者数の搬器が一時的に集められた後、薬局又は病棟ナースステーション等へカートが移送される。
【００１８】
図示の搬送装置（ハ）にはアンプル払出機（ロ）の前方の適宜位置に、搬送される搬器の側方に担持されその搬器に収納されている医薬品類の対象患者に関する患者名情報（患者名、実施日、病棟名、病室番号、診料科名、冷所保存薬の有無）を表示するカード（患者名情報表示部材）に所定の患者情報の消去、書込みをするカード着脱書込み装置Ａが併設されている。上記カードは一般にリライトカードと呼ばれ、一度書込み表示された患者名情報を消去し、再び別の患者名情報を書き込むことができるという特性を有するものである。
【００１９】
リライトカード１は、図示の例では、寸法が一般に使用されているテレフォンカードや電車通勤用の定期券などと同程度で厚みもほぼ同じである。上記リライトカードは、一般には記録層のロイコ染料と顕色剤とが反応し結合して発色するロイコ式カードと、記録層の低分子と樹脂に隙間が生じ白く見える白濁式リライトカードの２種類が知られている。上記リライトカードは、いずれも特定の温度を加えると文字を書いたり消したりすることができるというタイプのものである。上記２種類のカードのうちこの実施形態では前者のロイコ式カードが用いられる。
【００２０】
書込み装置Ａの概略構成を図２〜図５に示す。書込み装置Ａは、リライトカード１を搬器Ｔの側方のカード保持部材２から引き出し、あるいは再び戻して挿入し得るカード着脱移送手段１０と、この着脱移送手段１０で送り込まれるリライトカード１に患者名情報を書き込む書込み手段２０とを備えている。カード着脱移送手段１０は、垂直軸を中心に回転するゴムローラ１２と、これに所定の隙間（カード厚さに対応する寸法）を以て対向配置される回転自在のプラスチックローラ１３の複数対を所定の間隔で配置し、これらローラ対をフレームで支持するようにした断面が中空矩形状のガイドフレーム１１から成る。
【００２１】
ガイドフレーム１１は、上下方向の幅がリライトカード幅（長辺側幅）より少し大きく、厚さは数ｃｍ程度であり、フレーム全体は搬器のカード保持部材２に保持されたリライトカード１寄りの略１／３長さの当接部分１１ａと残る略２／３長さの案内部分１１ｂとがヘ字状のゆるい屈曲状に一体に形成されている。又、ガイドフレーム１１は、案内部分１１ｂの書込み手段２０へ寄った位置に設けた垂直軸１４を中心に回転自在に設置され、これにより当接部分１１ａの一面側のゴムローラ１２をリライトカード１に当接自在とされている。なお、垂直軸１４は搬送装置（ハ）のレールフレームに設けた基板１０B に固定して設けられている。
【００２２】
図４に示すように、ガイドフレーム１１の屈曲部付近の内部には小さなモータＭ1 が内蔵され、その出力軸が上部フレーム板から突出する端に設けた小プーリ１５と同じプーリ１５を各ゴムローラ１２の回転軸の上部フレーム板からの突出端にもそれぞれ設け、これらプーリ１５にベルトを順次巻回してモータＭ1 の動力を伝達できるようにしている。
【００２３】
図３に示すように、ガイドフレーム１１の当接部分１１ａのリライトカード１との当接面は、案内部分１１ｂのフレーム板１６ｂに続くフレーム板１６ａが当接部分１１ａの長さの半分程度まででカットされ、残る半部分はゴムローラ１２の２つが側面に露出しており、フレーム板１６ａはやや外側へ開いてゴムローラ１２の面との間に隙間１７を設けてリライトカード１を迎え易くしてある。ゴムローラ１２の上下には２つの垂直平行な案内板１８がガイドフレーム１１の全長に亘って水平に設けてある。
【００２４】
又、図中、図５に示すように、ガイドフレーム１１の当接部分１１ａの下部外側の適宜位置には基板１０B の下に設けたモータＭ2 の出力軸に偏心カムローラ１１ｃが接続されて配設されており、カムローラ１１ｃが当接部分１１ａの下部外側面に当接することによりガイドフレーム１１はわずかな角度回転してガイドフレームから露出したゴムローラ１２がリライトカード１に当接自在とされている。ガイドフレーム１１は、基板１０B とガイドフレームの端部との間に設けられたコイルばね１１ｄにより常時は当接部分１１ａをレールフレームから外側へ引き出すように弾性力が与えられている。
【００２５】
基板１０B 上にはガイドフレーム１１の端に隣接して位置センサＰH が設置され、このセンサＰH により搬器Ｔを検出してその信号を制御部３０へ送り、制御部３０からの制御信号を搬器停止解放手段であるストッパ３１の駆動部３１B へ送ってストッパ３１を突出させ、搬器Ｔの走行を強制的に停止させることができるようになっている。ストッパ３１は搬送装置（ハ）内に設けられており、通常は搬器底面より下に設定され、制御信号により搬器端面に当接するように上昇して搬器の移動を強制的に停止させる。
【００２６】
書込み手段２０は、図２に示すように、２つ割りのケース２１のケース半部分の一方にサーマルヘッド２２が設けられ、ケースの一端（図の左側）から２つのケース半部分の間をケース内に送り込ませたリライトカード１が送りローラ２３で移動されてサーマルヘッド２２の位置を通過する際にサーマルヘッド２２により所定の温度を加えて書込みを行うように形成されたものであるが、既に公知のものであるから詳細については説明を省略する。この書込み手段２０では、既に先の患者名情報などリライトカードに表示されていても、その表示を消去し、新たな患者名情報の書込みが行われ、これを繰り返し実施できる（但し、書き直しは数百回までという実際上の限界はある）。
【００２７】
図６に第１実施形態の制御系の全体概略ブロック図を示す。但し、点線で示す手段は第２実施形態で備えられるものであり、後で説明する。図示のように、制御部３０へは薬剤情報送信部であるホストコンピュータ４０が接続され、ホストコンピュータ４０からは各患者毎の処方データが送信されて来る。処方データの事例については後で説明する。制御部３０は、上記処方データに基づいてカード着脱移送手段１０、書込み手段２０から成るカード着脱書込み部３２を制御する。又、搬器停止解放手段であるストッパ３１も位置センサＰH からの検出信号に基づいて制御する。４１はホストコンピュータ４０の入力手段のキーボード、４２はマウス、４３は表示器（ＣＲＴ）である。
【００２８】
図７に第１実施形態の制御部３０により実施される処理（再発行機能なし）のフローチャートを示す。リライトカードの再発行機能がない処理では、制御系全体の電源をＯＮにすると直ちに図示の処理が開始される。ステップＳ1 ではホストコンピュータ４０からの処方データの送信を確認し、処方データの送信がなければ先頭へ戻り、処方データを受信するとＳ2 へ進む。
【００２９】
Ｓ2 では、処方データからリライトカード用の印字データを作成する。例えばホストコンピュータ４０がアンプル払出装置を管理、制御するコンピュータである場合は、図８の処方データから図１０の（ａ）図の印字内容となるに必要なデータが読み取られて印字データが作成され、アンプル払出装置に代えて錠剤等を搬送する調剤搬送装置のホストコンピュータからの処方データの場合は、図９の処方データから図１０の（ｂ）図の印字内容となるに必要なデータが読み取られて印字データが作成される。作成した印字データには連続番号が付与され、制御部３０のメモリで管理される。
【００３０】
なお、図８のアンプル払出装置の処方データの場合、印字内容の項目として、患者名、実施日、病棟名、病室番号、診療科名、冷所保存薬の有無があり、特に冷所保存薬の有無の表示が有用である。冷所保存薬がある場合は冷所欄の「冷」のデータにより「冷所保存薬」の表示がカードに印字される。又、図９の調剤搬送装置の処方データの場合、印字内容の項目として、患者名、引換番号、診療科名、薬剤の種類があり、特に薬剤の種類の表示が有用である。薬種の欄のデータから錠剤、散剤などの表示がカードに印字される。
【００３１】
Ｓ3 では搬器が所定の位置に停止しているかを確認する。搬器の停止は、前述したように位置センサＰH からの信号によりストッパ３１を作動させて行う。センサＰH が検出信号を送信し、ストッパ３１が動作すると所定位置に搬器Ｔが停止したとして次のＳ4 へ進む。
【００３２】
Ｓ4 ではリライトカード１が搬器Ｔから取り外される。この取外し動作は、次のように行われる。制御部３０から先ずカード着脱移送手段１０のモータＭ2 へ制御信号が送られると、カムローラ１１ｃが回転してガイドフレーム１１をわずかに回転させ、当接部分１１ａを搬器Ｔのリライトカード１に当接させる。これと平行してモータＭ1 へも制御信号が送られてゴムローラ１２を回転させ、リライトカードを移送可能な状態としておく。当接部分１１ａのゴムローラ１２がリライトカード１に接触すると、その摩擦力でリライトカード１が搬器Ｔのカード保持部材２から送り出され、ガイドフレーム１１のフレーム板１６ａとの間の隙間１７を通り多数のゴムローラ１２とプラスチックローラ１３との間の隙間を通って書込み手段２０へと送られる。
【００３３】
Ｓ5 では書込み手段２０によりリライトカード１の印字が行われる。書込み手段２０にリライトカード１が送り込まれるとリライトカード１にサーマルヘッドによる処理が行われて印字データがオーバライト印字（消去＋印字）される。印字が終わると、Ｓ6 で再びリライトカード１はカード着脱移送手段１０へ送り返され、ガイドフレーム１１内を送られて搬器のカード保持部材２内へ装着される。Ｓ7 ではストッパ３１を下ろして搬器を解放すると搬送装置（ハ）により搬器Ｔは移送される。搬器の解放後はステップＳ1 の前に戻り、上記処理を次の搬器に対して行ない、かかる処理を次々と繰り返す。
【００３４】
第２実施形態の搬器表示部材の書込み装置は図６の点線で示す書込み手段２０’（再発行用）と、液晶表示器３３ａ及びボタン３３ｂを有する操作手段３３とを備え、リライトカードの再発行機能を有する。再発行用の書込み手段２０’はカード着脱書込み部３２の連続動作に影響を与えないようにするため全く別の位置（図示せず）に別の手段として設置され、再発行されるリライトカードは搬器に取り付けられているリライトカードと手作業で取り替えられる。リライトカードの再発行は、書込み手段２０での印字が不鮮明な場合に行う操作であり、操作手段３３の機能をホストコンピュータ４０で行うことができれば、操作手段３３と書込み手段２０’は備えなくてもよい。
【００３５】
図１１に第２実施形態の書込み装置により行われる処理のフローチャートを示す。この実施形態では、カード着脱書込み部３２で行われる主要な機能は第１実施形態と殆ど同じであるが、操作手段３３が備えられているため画面表示が行われる点、及びリライトカードの再発行処理が行われる点が第１実施形態と異なる。操作手段３３が備えられているため、電源をＯＮにすると図１３のメニュー画面処理から図１１の処理が起動されてステップＳ0 でまず液晶表示器３３ａに図１２の（ａ）図の画面が表示される。但し、処方データの受信が未だないので初期画面では（ａ）図の印字データは表示されていない。
【００３６】
Ｓ1 で処方データを受信し、Ｓ2 で印字データを作成する点は第１実施形態と同じであるが、印字データが作成されるとＳ2 ’で図１２の（ａ）図のように、連続番号と患者名が画面に表示される。表示画面には再発行、終了の選択ボタン内容が表示されているが、そのいずれかに対応したボタンスイッチ「△」を押さない限り次のＳ3 〜Ｓ7 への処理が行われることは第１実施形態と同じである。Ｓ7 の処理が終わるとＳ1 の前に戻って上記と同じ処理が各患者の処方データが送られて表示毎に実行される。
【００３７】
以上の処理を繰り返して通常のリライトカードの書込みが行われるが、書き込まれたリライトカード上の印字が不鮮明なものが生じる場合がある。リライトカードを数百回以上の限界を超えて消去、書込みをすると不鮮明になるからである。このような不鮮明な印字のリライトカードが生じると作業者は目視確認して再発行の処理をする。この再発行の処理のタイミングは、前述したＳ1 〜Ｓ7 までの処理を繰り返す間に処方データが必ずしも連続して送られて来るのではなく、処方のデータの送信が一定時間ない場合があり、その間を利用して行われる。
【００３８】
処理操作がＳ1 の前に戻った際に、処方データの送信がないタイミングを選んで図１２の（ａ）図に示された「再発行」のボタンを押すと、処理操作は図１１の右側のフロー処理へ進み、Ｓ10で「終了」のボタンが押されない限りＳ11へ進んで図１２の（ｂ）図に示す「再発行」画面の表示が行われる。この「再発行」画面は、再発行する印字データを指定するための画面であり、既に印字した印字データの連続番号と患者名が順番に表示される。この画面中の「前データ」ボタンを押すと表示されている印字データの１つ前のデータが表示され、「次データ」ボタンを押すと表示されている印字データの次のデータが表示される。
【００３９】
操作者は、Ｓ12で上記「前データ」又は「次データ」のボタンを押して再発行したい印字データを表示した後、「確定」ボタンを押して印字データの選択を行う。Ｓ13に進み、ここで「中止」ボタンが押されなければＳ14へ進み、予備のリライトカードを再発行用の書込み手段２０’に入れるとその再発行用リライトカードに再発行する印字データをオーバライト印字（消去＋印字）する。書込み手段２０’で再発行されたリライトカードは搬器に取り付けられているリライトカードと手作業で取り替えられる。
【００４０】
上記のＳ13で「中止」ボタンが押されると、再発行の処理を中止し、Ｓ15で図１２の（ａ）図に示された元の印字画面を表示してＳ1 の前に戻る。Ｓ14でリライトカードの印字が行われた場合もＳ15で元の印字画面を表示してＳ1 の前に戻る。一方、処方データの送信がない場合はＳ10へ進みそこで「再発行」ボタンが押されない場合は、Ｓ16へ進み、ここで「終了」ボタンが押されなければＳ1 の前に戻り、「終了」ボタンが押されると図１３のフローチャートに示すメニュー画面処理に戻り、図示しない「メニュー画面」が表示される（Ｓ21）。この「メニュー画面」は「開始」ボタンと「診断」ボタンが表示され、Ｓ21で開始ボタンが押されるとＳ20の前に戻って図１１の処理を起動し、「診断」ボタンが押されるとＳ22の「診断処理」が行われる。
【００４１】
診断処理は、制御部３０、カード着脱書込み部３２、操作手段３３などの各装置構成部が正常動作するかを調べるためのダイアゴノーシスプログラムが制御部３０内に設けられており（詳細は図示省略）、このプログラムにより各構成部の作動が正常であるかを適宜タイミング（一般には一日の薬剤処理終了後）で自己診断する処理である。このＳ22の診断処理はＳ21へ戻って繰り返され、通常動作へ戻すときは「開始」ボタンを押すことによりＳ20の前へ戻され図１１の処理が起動される。
【００４２】
上述した２つの実施形態では、書込み装置Ａは搬送装置（ハ）に付設する例を示したが、搬器Ｔは必ずしも搬送装置（ハ）で搬送されるだけでなく、例えばカートに積んで、あるいは人手で運搬されることもある。従って、書込み装置Ａは搬送装置ではなく、所定の位置（病院、薬局内のどこでもよい）に適宜高さの台を固定設置し搬器Ｔをその上に安定して置くことができるようにし、この台に対して書込み装置Ａを付設してもよい。この場合、台上に搬器Ｔを置くだけで書込み装置Ａによりリライトカード１の着脱、印字の書込みが自動処理されることとなる。
【００４３】
又、上記実施形態では搬器Ｔの側面のリライトカード１はカード着脱移送手段１０により水平方向に移動させて搬器Ｔに対して着脱する方式としているが、カードの着脱は水平移動でなくてもよい。例えば吸着アームを有する吸着手段でカードを吸着して上方へ持上げた後、吸着アームを移動又は回転させて書込み手段２０へ送り込む機構を採用することもできる。
【図面の簡単な説明】
【００４４】
【図１】実施形態の搬器表示部材の書込み装置を搬送装置に備えたアンプル払出装置の全体概略構成図
【図２】実施形態の搬器表示部材の書込み装置の拡大外観斜視図
【図３】図２の矢視III から見た外観斜視図
【図４】カード着脱手段の（ａ）側面図及び同上の（ｂ）平面図
【図５】図４（ｂ）図の矢視Ｖａ−Ｖａ、Ｖｂ−Ｖｂから見た断面図
【図６】搬器表示部材の書込み装置の第１実施形態の制御系の全体概略ブロック図
【図７】第１実施形態の制御系による処理のフローチャート
【図８】アンプル払出装置の処方データの例を示す図
【図９】調剤搬送装置の処方データの例を示す図
【図１０】リライトカードの患者名情報の表示例を示す図
【図１１】第２実施形態の制御系による処理のフローチャート
【図１２】同上の印字・再発行画面の説明図
【図１３】メニュー画面処理の説明図
【符号の説明】
【００４５】
１      リライトカード
２      カード保持部材
３      ストッパ
１０    カード着脱移送手段
１１    ガイドフレーム
１１ａ  当接部分
１１ｂ  案内部分
１２    ゴムローラ
１３    プラスチックローラ
１４    垂直軸
１５    プーリ
１６ａ、１６ｂ  フレーム板
１７    隙間
１８    案内板
２０、２０’  書込み手段
３０    制御部
３１    ストッパ駆動部
３２    カード着脱書込み部
３３    操作手段
４０    ホストコンピュータ
（イ）  搬器供給装置
（ロ）  アンプル払出機
（ハ）  搬送装置
（ニ）  搬器排出リフタカート
Ａ      カード着脱書込み装置
Ｔ      搬器
Ｍ1 、Ｍ2   モータ
ＰH     位置センサ
【図１】
0004791063.tif 000002
【図２】
0004791063.tif 000003
【図３】
0004791063.tif 000004
【図４】
0004791063.tif 000005
【図５】
0004791063.tif 000006
【図６】
0004791063.tif 000007
【図７】
0004791063.tif 000008
【図８】
0004791063.tif 000009
【図９】
0004791063.tif 000010
【図１０】
0004791063.tif 000011
【図１１】
0004791063.tif 000012
【図１２】
0004791063.tif 000013
【図１３】
0004791063.tif 000014